(57)【特許請求の範囲】
【請求項１】
土入れした苗箱を移送する苗箱送り手段を挟んだ両側位置に土落しブラシの回転軸の両端を支承する左右の支承部を設け、苗箱送り手段の上方に土落しブラシを横架すると共に、土落しブラシを苗箱送り手段の左右一側方の支承部を支点にして他側方の支承部を苗箱送り手段の上方を開放する位置まで旋回自在に取付けて成る苗箱の土落し装置。
【発明の詳細な説明】
【０００１】
【産業上の利用分野】
本発明は播種する際に苗箱の縁に付いた土を払い落す装置に関する。
【０００２】
【従来の技術】
田植機用の苗を育成する苗箱は上面が開放した底の浅い方形の箱体で、底面に多数の孔を有する。この苗箱に土を均一の厚さに入れて播種し、その上に薄く覆土してから灌水する。
【０００３】
こうした播種済みの苗箱は高く積み上げて発芽室に運び入れここで温湿度を管理しながら発芽させるのであるが、播種作業の際に苗箱の開口縁に付いた土をそのまま落さずに積み重ねると、上下の苗箱の間に土が挾まり上の苗箱が傾いて倒壊するおそれがある。
【０００４】
このため苗箱を積み上げる前に、縁の土を全部払い落す必要がある。
【０００５】
従来は苗箱を横方向に送る搬送ベルトの上方にブラシを回転自在に架設し、苗箱をベルトに乗せてブラシの下をくぐり抜けさせることにより、縁に付いた土をブラシで払い落していた。
【０００６】
【発明が解決しようとする課題】
ここで回転ブラシは搬送ベルトの上を跨ぐように横断して取付けるが、従来はブラシの両端の軸受部が固定していたため、搬送ベルトの送りが詰ったり播種不良の苗箱が送り込まれてこれを除去する必要を生じた場合に、ブラシの下に苗箱が進入してしまうと容易に取り除くことができないという問題点があった。
【０００７】
本発明はこの問題点を改良し、苗箱がブラシの下に進入した状態でも必要があれば容易にこれをベルトの外に取り出せるようにすることを目的とする。
【０００８】
【課題を解決するための手段】
本発明は、土入れした苗箱を移送する苗箱送り手段を挟んだ両側位置に土落しブラシの回転軸の両端を支承する左右の支承部を設け、苗箱送り手段の上方に土落しブラシを横架すると共に、土落しブラシを苗箱送り手段の左右一側方の支承部を支点にして他側方の支承部を苗箱送り手段の上方を開放する位置まで旋回自在に取付けて成る苗箱の土落し装置である。
【０００９】
【作用】
移送中の苗箱が苗箱送り手段の途中で詰って停止したり、或いは播種不良の苗箱が供給されるなどして、土落しブラシの下に入った苗箱を取り除く必要がある場合、土落しブラシを苗箱送り手段の左右一側方の支承部を支点にして他側方の支承部を苗箱送り手段の上方を開放する位置まで旋回することにより、土落しブラシ全体が苗箱送り手段の左右一側方に移動し、苗箱送り手段の上方を開放する。そして、元々土落しブラシの下にあった苗箱送り手段上の苗箱をそのまま上方へ取り出す。
【００１０】
【実施例】
図１〜図４は本発明を実施した苗箱ａの積み重ね装置の概略を示す。
【００１１】
田植機用の苗を量産して米の生産者に分配する育苗センタでは、省力化のため播種済みの苗箱ａを高く積み上げて機械力で発芽室に運び込む。
【００１２】
１はその苗箱積重ね装置で、２基の苗箱支持アーム２，２を有する。このアーム２，２には上下方向に昇降したり前後方向に進退する支持アーム駆動機構３，３を連結する（図４参照）。４はこの支持アーム駆動機構３，３を支持する支柱である。
【００１３】
５は苗箱昇降器で、その上部取出口を苗箱送り台６を介して苗箱支持アーム２，２の上方の苗箱受取り器７，７に接続する。８は支持アーム駆動機構３，３のモータを示す。
【００１４】
９は苗箱送り手段に相当する苗箱横送りベルトで、その終端を苗箱昇降器５の下部取入口に接続する。ベルトの代りにチェンでもよい。
【００１５】
この苗箱横送りベルト９の上方に、ベルト９の送り方向と直交する方向に回転自在な土落しブラシ１０を横架する。１１は泥除けを兼ねた底面が開放のブラシケース（ブラシ支承手段）で、ケースの相対する両側板に土落しブラシ１０の回転軸の両端を支承し、さらに前記両側板の一方を蝶板１２により苗箱横送りベルト９の支持枠の一側に取付けると共に、他方の側板を磁石製の止め具１３により前記支持枠の反対側に着脱自在に止着する。
【００１６】
１４は積み重ねた状態の苗箱ａを苗箱支持アーム２，２より引き取る進退自在な苗箱取出しアームで、１５はその駆動機構を示す。１６は苗箱取出しアーム１４に連設する苗箱待機台で、その一辺に沿いトロッコレール１７を２本平行に敷設する。１８はトロッコで、トロッコレール１７上を走行し終点の発芽室１９に行きつく。
【００１７】
そして土入れ、播種、覆土及び灌水の諸工程を終えた播種済みの苗箱ａを苗箱横送りベルト９の始端側より供給し、ベルトに乗せて土落しブラシ１０の下を通過させる。苗箱通過中、土落しブラシ１０は苗箱ａの開口縁に接触しその摩擦で遊転し、開口縁に付着した土を払い落す。なおブラシ１０を動力で回転させてもよい。
【００１８】
土落し後、苗箱ａは苗箱昇降器５の下部取入口内に進入し、苗箱昇降器５により上昇してその上部取出口より苗箱送り台６を経て苗箱積重ね装置１の苗箱受取り器７の上に仮受けされ、ここより苗箱支持アーム２，２に置いた台車２０の上に積載される。
【００１９】
このように播種済みの苗箱ａが順次土落しされて苗箱支持アーム２，２の台車２０の上に積み重ねられる度に、苗箱支持アーム２，２は苗箱１枚の高さだけ下降する。
【００２０】
所定枚数の苗箱ａを積み重ね終えたら最下点まで下降した苗箱支持アーム２，２が前進する。苗箱取出しアーム１４は前端に上向きの係止突条を有し、これで苗箱支持アーム２上の台車２０の後部を係止して後退しながら台車２０をアーム１４上に引き出す。
【００２１】
引き出された苗箱ａは、台車２０ごと玉突き式に苗箱待機台１６上を移動しトロッコ１８の上に押し出され、トロッコ１８により発芽室１９に運び込まれる。
【００２２】
ここで苗箱昇降器５もしくは苗箱積重ね装置１が故障し、苗箱ａが苗箱横送りベルト９の途中で詰まった場合、これを取り除かねばならない。また播種工程に事故が生じ播種不良の苗箱ａがベルト９に供給された場合にも、これを取り除かねばならない。
【００２３】
このような場合、磁石製の止め具１３を取り外し、ブラシケース１１を蝶板１２を支点に上方に旋回して起立し、土落しブラシ１０の下を開放して苗箱ａを途中で取り除く（図２参照）。これにより土落しブラシ１０の下に入った苗箱も簡単に取り除くことができる。
【００２４】
次に図５〜図１０は、苗箱積重ね装置１より発芽室１９へ苗箱ａを移送する苗箱移送系の別の例を示す。
【００２５】
ここに示す苗箱移送系では、前記の苗箱取出しアーム１４やトロッコ１８の代りに専用のパレット２１を使用する。
【００２６】
パレット２１は、苗箱積重ね装置１の２基の支持アーム２，２より供給される苗箱を一挙に積載するスペースを有する。
【００２７】
パレット２１は、その方形のメインフレーム２２の上部に３本１組の苗箱受け枠２３を２組配列すると共に、メインフレーム２２の底面左右両辺には角筒体のフォークガイド２４を一体的に固着して形成する。２５は積載した苗箱ａの荷くづれを防ぐ支持枠で、苗箱搭載後その下端をメインフレーム２２の外周に溶接する短い止めパイプ２６に挿入して固定する。
【００２８】
２７は苗箱積重ね装置１の正面側に設置したパレット移送装置で、その２本の無端チェン２８，２８の上に空のパレット２１を載せて苗箱積重ね装置１の正面に移動し、このパレット２１の上に苗箱支持アーム２，２より苗箱を供給する。このとき苗箱支持アーム２，２はパレット２１の隣接する苗箱受け枠２３と２３の中間に挿入した後下降して苗箱を受け枠２３の上に置く（図６参照）。
【００２９】
苗箱積重ね装置１の正面に位置する無端チェン２８，２８の内部には、ばね２９の弾力により支持したチェン押し上げ体３０を昇降自在に設置し、無端チェン２８上のパレット２１が空のときはパレット２１をパレット移送装置２７の主フレーム３１の上辺より上方に押し上げる。パレット２１に苗箱ａを積載すると、その重量でばね２９が縮小してチェン押し上げ体３０が沈降し、パレット２１の底面が主フレーム３１の上辺に接触する。これにより無端チェン２８に過大な重量が加わるのを防ぐ。
【００３０】
パレット２１に苗箱を積載したら図示しないフォークリフトの２本のフォークをパレット２１のフォークガイド２４に挿入し発芽室へ移送する。
【００３１】
使用済みの空のパレット２１は図１０に示すように段重ねに積んで格納保管する。このとき上のパレット２１のフォークガイド２４が下のパレット２１の苗箱受け枠２３の中間に嵌合するため、全体の高さを低くできるばかりでなく積んだパレットが滑って落ちるという危険がない。
【００３２】
図１１は苗箱ａに自動的に播種する播種機の断面図である。この種の播種機は従来より知られているが（例えば特開平２−２１９５０９号公報または特開昭６３−３１３５０６号公報）、従来は芒や枝梗の付いた籾が多量に混入した場合、これが回転ブラシ４０により排出され切れずにその手前に停滞して播種精度を低下する原因になっていた。
【００３３】
図１１の播種機はこれを改良したもので、回転ブラシ４０の上半部外周に沿い下向きに湾曲したブラシカバー４１を取付け、回転ブラシ４０にかき出された芒付きの籾をこのブラシカバー４１との間で挾むようにすくいあげて確実に排出する。このため播種ロール４２には正しく籾が供給され播種精度が向上する。図中、４３は籾ホッパー，４４は小径ブラシ，４５はフォーク，４６はロールガイドをそれぞれ示す。
【００３４】
【発明の効果】
要するに本発明によれば、移送中の苗箱が苗箱送り手段の途中で詰って停止したり、或いは播種不良の苗箱が供給されるなどして、土落しブラシの下に入った苗箱を取り除く必要がある場合、土落しブラシ全体を苗箱送り手段の左右一側方に移動させて苗箱送り手段の上方を開放することにより、苗箱送り手段の他側方から土落しブラシが邪魔にならずに元々土落しブラシの下にあった苗箱送り手段上の苗箱をそのまま上方へ取り除くことができる。
【００３５】
また従来、土落しブラシの下に入った苗箱を取り除くには、そのままブラシの下を通過させるか逆に手前に苗箱を引き戻さなければならず、土落しブラシの前方または後方に苗箱の長さだけの空きスペースを必要としたが、本発明によれば土落しブラシの下の苗箱をその位置からそのまま上方に取り出せるので、従来の空きスペースの必要がなく、苗箱送り手段の送り方向の長さを短く形成でき省スペースに寄与するという効果も生ずる。
【図面の簡単な説明】
【図１】本発明を実施した苗箱積重ね装置の概略を示す全体正面図である。
【図２】図１の要部の側面図である。
【図３】図１の平面図である。
【図４】図１の全体側面図である。
【図５】苗箱積重ね装置の別の例の概略平面図である。
【図６】図５の側面図である。
【図７】図５のパレットが空のときの無端チェンの要部拡大断面図である。
【図８】図５のパレットに苗箱を載置したときの無端チェンの要部拡大断面図である。
【図９】図５のパレットの使用状態の斜視図である。
【図１０】図５のパレットの保管状態の正面図である。
【図１１】播種機の断面図である。
【符号の説明】
ａ    苗箱
１    苗箱積重ね装置
２    苗箱支持アーム
５    苗箱昇降器
７    苗箱受取り器
９    苗箱横送りベルト
１０  土落しブラシ
１１  ブラシケース
１２  蝶板
１３  止め具
１４  苗箱取出しアーム
１７  トロッコレール
１８  トロッコ
１９  発芽室
２１  パレット
２２  メインフレーム
２３  苗箱受け枠
２４  フォークガイド
２７  パレット移送装置
２８  無端チェン
２９  ばね
３０  チェン押し上げ体
４０  回転ブラシ
４１  ブラシカバー
４２  播種ロール
【図１】
0003546435.tif 000002
【図２】
0003546435.tif 000003
【図３】
0003546435.tif 000004
【図４】
0003546435.tif 000005
【図５】
0003546435.tif 000006
【図６】
0003546435.tif 000007
【図７】
0003546435.tif 000008
【図８】
0003546435.tif 000009
【図９】
0003546435.tif 000010
【図１０】
0003546435.tif 000011
【図１１】
0003546435.tif 000012